(57)【特許請求の範囲】
【請求項１】
照明用の光源を有する機器の複数個が互いに連携動作するように制御するシステムであって、
各機器は、相互間で無線通信を行う送受信手段を備えるとともに、前記各機器の据え付け後における相互通信時の信号レベルおよび通信応答時間の少なくとも一方の計測を行う計測手段と、この計測手段による計測データを保持するデータ保持手段とを含み、
かつ、前記機器の内の一つの機器は、自己を含めた各機器の前記各データ保持手段で保持された計測データを収集する収集手段と、この収集手段で収集された計測データの大小関係に基づいて前記各機器相互間の距離の序列を設定する序列設定手段とを有し、
前記各機器は、前記序列設定手段で設定された序列に従って前記光源を点灯制御するものであり、
前記序列設定手段は、前記信号レベルの小さいもの、あるいは通信応答時間の長いものほど大きな評価点数となるように各機器に対して個別に評価点数を付け、次に各機器について他の機器に関する評価点数を加算し、その和が最大となる機器を序列の最上位として設定し、その最上位の機器に対して評価点数の最も小さい機器を次の序列として設定する操作を順次繰り返すことにより、各機器の序列を上位から下位に向けて順次設定することを特徴とする照明制御システム。
【請求項２】
前記序列設定手段は、最上位の機器を設定した後の序列設定において、次の序列に複数の候補が存在する場合には、既に序列が設定されている機器を除き、各候補の機器について他の機器に関する評価点数を加算し、その和が大きい方を次の序列として設定するものであることを特徴とする請求項１記載の照明制御システム。
【発明の詳細な説明】
【技術分野】
【０００１】
本発明は、照明用の光源を有する機器の複数個が互いに連携動作するように制御する照明制御システムに関するものである。
【背景技術】
【０００２】
一般に、店舗や人の集まるホール等では、ランプ等の光源を有する照明用の機器を複数配置し、各々の機器の光源を一定の順序に従って送り点灯したり、その際に発光色を変化させるなどして照明の演出効果を高め、その場の雰囲気を盛り上げたいという要請がある。
【０００３】
そのような要請に応える上では、複数の照明用の機器を新たに現場に設置するような場合、これに応じて各機器による光源の点灯順序を個別に設定する必要がある。また、照明の演出効果を変えるために各機器の配置状態を変更するような場合には、これに応じて各機器による光源の点灯順序を設定し直す必要がある。このように、各照明用の機器の光源の点灯順序を個別に設定するため、従来技術では、次のような各種の提案がなされている。
【０００４】
すなわち、下記の特許文献１に記載の従来技術では、専用のアドレス設定器を設け、このアドレス設定器から各照明器具に対して個別にアドレスを設定し、設定したアドレス順に照明器具を点灯するようにしている。
【０００５】
また、下記の特許文献２に記載の従来技術では、距離の長短によりインピーダンスが変化し、直流電圧がインピーダンスの大きさに応じて電圧降下する点に着目し、各照明器具を通信線を介して互いに接続するとともに、各照明器具に設けた通信端末部で通信線の受信電圧の大きさを検出し、その検出した受信電圧の大きさによって、自己の照明器具が起点から何台目かを判断して自己のアドレスを自動設定し、その設定したアドレス順に照明器具を点灯するようにしている。
【０００６】
また、下記の特許文献３に記載の従来技術では、各々の照明器具に絶対座標上の現在位置を検出するＧＰＳ等の位置検出部を設ける一方、各照明器具の絶対位置およびアドレスを一括管理する制御装置を並設する。そして、制御装置から位置情報要求信号を各照明器具に送信し、これに応じて各照明器具は、その位置検出部で絶対座標上の現在位置を検出し、その検出した現在位置情報を制御装置に返信する。制御装置はその返信されてきた現在位置情報と予め登録されている位置情報とが不一致の場合には、当該照明器具が移動されたものと判断して、各照明器具の位置情報を更新するとともに、更新した位置情報に基づいて各照明器具のアドレスを再設定し直し、再設定したアドレス順に照明器具を点灯するようにしている。
【特許文献１】特開２００６−９３０９８号公報
【特許文献２】特開２００７−１２３０４５公報
【特許文献３】特開２００５−２５１４４３号公報
【発明の開示】
【発明が解決しようとする課題】
【０００７】
しかしながら、特許文献１に記載の従来技術では、各照明用の機器により一定の順序に従って送り点灯するためには、専用のアドレス設定器を用いて予め各照明器具に対して個別にアドレスを設定する操作が必要なため、設定操作に時間と手間がかかるだけでなく、アドレス設定に誤りを生じ易く、所望の順序に従って照明器具が点灯しないという不具合が起こり易い。
【０００８】
また、特許文献２に記載の従来技術では、各照明器具について自己のアドレスが自動的に割り付けられるので、アドレス設定の手間を省けることができるものの、各照明器具に設けた通信端末部で各受信電圧の大きさを検出するためには、照明器具相互間を有線の通信線で互いに接続する必要がある。したがって、店舗やホール等において複数の照明器具を据え付ける際にケーブルを引き回さねばならず、このため、配線に手間と時間がかかり、しかも、照明器具の設置後にケーブルに足を引っかけて通信線を切断するなどの不具合を生じ易い。
【０００９】
また、特許文献３記載の従来技術では、各々の照明器具の位置関係を考慮して点灯順を決めるアドレスが自動的に割り付けられるのでアドレス設定の手間を省くことができ、また、照明器具相互間を無線で互いに接続して点灯制御を行うため、通信線を配線する手間を省けるという利点があるものの、各々の照明器具の相互の位置関係を考慮したアドレス設定を行うためには、絶対座標上の現在位置を検出するＧＰＳ等の位置検出部を個別に設けねばならず、しかも、各照明器具の現在位置およびアドレスを一括管理する制御装置を並設する必要がある。このために、システム全体が高価なものとなる。
【００１０】
本発明は、上記の課題を解決するためになされたもので、照明用の光源を有する機器の配置が変更されたような場合でも、各機器の位置関係を考慮して点灯順序が自動的に割り付けられるようにして、各機器が備える光源を常に一定の順序に従って送り点灯することができ、しかも、従来のような絶対座標上の位置を検出するＧＰＳ等の高価な位置検出部を設けなくても、比較的安価に実現することができる照明制御システムを提供することを目的とする。
【課題を解決するための手段】
【００１２】
上記の目的を達成するために、請求項１記載の発明に係る照明制御システムは、照明用の光源を有する機器の複数個が互いに連携動作するように制御するものであって、各機器は、相互間で無線通信を行う送受信手段を備えるとともに、前記各機器の据え付け後における相互通信時の信号レベルおよび通信応答時間の少なくとも一方の計測を行う計測手段と、この計測手段による計測データを保持するデータ保持手段とを含み、かつ、前記機器の内の一つの機器は、自己を含めた各機器の前記各データ保持手段で保持された計測データを収集する収集手段と、この収集手段で収集された計測データの大小関係に基づいて前記各機器相互間の距離の序列を設定する序列設定手段とを有し、前記各機器は、前記序列設定手段で設定された序列に従って前記光源を点灯制御するものであることを特徴としている。
【００１３】
また、請求項１記載の発明に係る照明制御システムは、上記の発明の構成において、前記序列設定手段は、前記信号レベルの小さいもの、あるいは通信応答時間の長いものほど大きな評価点数となるように各機器に対して個別に評価点数を付け、次に各機器について他の機器に関する評価点数を加算し、その和が最大となる機器を序列の最上位として設定し、その最上位の機器に対して評価点数の最も小さい機器を次の序列として設定する操作を順次繰り返すことにより、各機器の序列を上位から下位に向けて順次設定することを特徴としている。
【００１４】
また、請求項２記載の発明に係る照明制御システムは、請求項１記載の発明の構成において、前記序列設定手段は、最上位の機器を設定した後の序列設定において、次の序列に複数の候補が存在する場合には、既に序列が設定されている機器を除き、各候補の機器について他の機器に関する評価点数を加算し、その和が大きい方を次の序列として設定するものであることを特徴としている。
【発明の効果】
【００１５】
請求項１記載の発明の照明制御システムによれば、各照明用の機器の位置関係を考慮してその点灯順序が自動的に割り付けられるので、各機器が備える光源を常に一定の順序に従って送り点灯することができる。このため、各機器の点灯順序を設定するための手間と
時間を省くことができる。しかも、無線による相互通信によって各機器相互の距離の序列を設定するので、通信ケーブルの配線の手間も不要である。さらに、従来のような現在の絶対座標上の位置を検出するＧＰＳ等の高価な位置検出部を設けなくても、点灯順序が自動設定されるため、比較的安価に実現することが可能となる。
【００１６】
また、請求項１記載の発明の照明制御システムによれば、現在の各々の照明用の機器の絶対座標上の位置を厳密に計測する必要はなく、信号レベルや通信応答時間といった計測データの大小関係に基づいて各機器相互間の相対的な距離の序列が設定されるので、簡易かつ正確に序列を設定することができる。
【００１７】
請求項２記載の発明の照明制御システムによれば、複数の候補となる機器が存在する場合でも無理なく一つの機器を選択することができるため、各機器が一列でなく分散して配置されている場合でも無理なく的確に序列を設定することができる。
【発明を実施するための最良の形態】
【００１８】
以下、本発明の実施の形態について、図面を参照して詳しく説明する。図１は本発明の実施の形態における照明制御システムを構成する各照明用の機器を示すもので、同図（ａ）は親機となる照明用の機器の構成を示すブロック図、同図（ｂ）は子機となる照明用の機器の構成を示すブロック図である。
【００１９】
この実施の形態の照明制御システムは、複数の照明用の機器Ａ〜Ｄを備え、これらの各機器Ａ〜Ｄの内、一つの機器Ａは親機として、他の機器Ｂ〜Ｄは子機として構成されている。なお、本例では１台の親機Ａに対して３台の子機Ｂ，Ｃ，Ｄが存在するものとしているが、子機の数はこれに限定されるものでないことは勿論である。
【００２０】
ここに親機および子機のいずれの機器Ａ〜Ｄも、照明用のランプなどの光源からなる負荷１、マイクロコンピュータなどで構成されるコントローラ２、このコントローラ１による制御により負荷１を制御する照明制御部３、各機器の相互間で無線通信を行う送受信手段としての送信部４および受信部５、および所定のデータやプログラムを格納するためのメモリ６を備えている。なお、負荷１としては、照明用のランプなどの光源だけに限らず、音を発するスピーカを含む構成とすることも可能である。また、無線通信としては、電波に限らず、赤外線や超音波などの通信手段を適用することもできる。
【００２１】
そして、親機Ａのコントローラ２には、図１（ａ）に示すように、所定の制御プログラムをインストールすることにより、計測部２１、序列設定部２２、および動作制御部２３が構成されている。また、子機Ｂ〜Ｄのコントローラ２には、図１（ｂ）に示すように、所定の制御プログラムをインストールすることにより、計測部２１、および動作制御部２３が構成されているが、親機Ａのような序列設定部２２は設けられていない。
【００２２】
ここに、上記の計測部２１は、各機器Ａ〜Ｄの据え付け後における相互通信時に受信部５で得られる受信信号の信号レベル（例えばアナログ電圧レベル）や他の機器との間の通信応答時間の計測を行うものである。また、上記のメモリ６が特許請求の範囲におけるデータ保持手段に対応している。さらに、上記のコントローラ２の動作制御部２３は、当該機器の全体動作を制御するものである。
【００２３】
また、親機Ａにおいて、上記のコントローラ２の動作制御部２３は、当該機器Ａの全体動作を制御するのに加えて、自己を含めた各機器Ａ〜Ｄのメモリ６に保持された計測データを収集する役目を果たし、特許請求の範囲における収集手段に対応している。また、序列設定部２２は、この動作制御部２３で収集された計測データに基づいて各機器Ａ〜Ｄ相互間の距離の序列を設定するものであって、特許請求の範囲における序列設定手段に対応している。さらに、送信部４が序列設定部２２で設定された各機器Ａ〜Ｄの序列を全ての機器に対して通知する役目を果たす。
【００２４】
次に、上記の各機器Ａ〜Ｄを構成する各部の具体的な作用および動作について、さらに図２ないし図８を参照して詳しく説明する。なお、以下において、親機と子機とを特に区別しない場合には単に機器と称するものとする。また、発明の理解を容易にするために、本例では１台の親機Ａに対して３台の子機Ｂ，Ｃ，Ｄが存在するものとする。
【００２５】
ここで、各機器Ａ〜Ｄのメモリ６には、図２に示すように、予め自己を含めてシステム内の各機器Ａ〜Ｄの数と各機器Ａ〜Ｄに対して割り当てられた固有の識別用のＩＤ（ＩＤａ〜ＩＤｄ）が登録されている。なお、各機器の据え付け前の初期段階では、図２における信号レベルや通信応答時間、序列などのデータは登録されていない。
【００２６】
各機器Ａ〜Ｄを新たに現場に設置したり、照明の演出効果を変えるために各機器Ａ〜Ｄの配置状態を変更したりした際には、例えば図外のリモコン等から親機Ａに対して、テスト開始コマンドを送信する。
【００２７】
親機Ａは、このテスト開始コマンドに応じて、まず、図３（ａ）に示すように、各子機Ｂ〜Ｄに対してテスト通信を行う。すなわち、順次ＩＤを指定したテスト通信要求信号を出力し、これに応じてＩＤの一致した子機Ｂ〜Ｄから送信される各テスト応答信号を受信する。その際、計測部２１は、受信部５で得られる各子機Ｂ〜Ｄからのテスト応答信号の信号レベルＩｂ，Ｉｃ，Ｉｄ（例えばアナログ電圧レベル）を計測するとともに、テスト通信要求信号の送信時点から各子機Ｂ〜Ｄからのテスト応答信号を受信するまでに要する通信応答時間Ｔｂ，Ｔｃ，Ｔｄを計測する。そして、図２に示すように、この計測部２１で得られた信号レベルＩｂ，Ｉｃ，Ｉｄと通信応答時間Ｔｂ，Ｔｃ，Ｔｄの各計測データをメモリ６に登録する。
【００２８】
引き続いて、親機Ａは、図３（ｂ）〜（ｄ）に示すように、順次ＩＤを指定して各子機Ｂ〜Ｄに対してテスト開始要求信号を順次出力する。このテスト開始要求信号に応じてＩＤの一致した子機は、図３（ａ）の場合と同様に、親機および他の各子機に対してテスト通信を行う。
【００２９】
例えば、子機Ｂに着目すると、この子機Ｂは、順次ＩＤを指定したテスト通信要求信号を親機Ａおよび他の子機Ｃ，Ｄに出力し、これに応じてＩＤの一致した親機Ａおよび他の子機Ｃ，Ｄから送信されるテスト応答信号を受信する。その際、計測部２１は、受信部で得られる親機Ａおよび各子機Ｃ，Ｄからのテスト応答信号の信号レベルＩａ，Ｉｃ，Ｉｄを計測するとともに、テスト通信要求信号の送信時点から親機Ａおよび他の子機Ｃ，Ｄから出力されるテスト応答信号を受信するまでに要する通信応答時間Ｔａ，Ｔｃ，Ｔｄを計測する。そして、この計測部２１で得られた信号レベルＩａ，Ｉｃ，Ｉｄ、および通信応答時間Ｔａ，Ｔｃ，Ｔｄの各計測データをメモリ６に登録する。他の子機Ｃ、Ｄについても、図３（ｃ）、（ｄ）に示すように、同様に信号レベルと通信応答時間を計測して、これらの各計測データをメモリ６に登録する。
【００３０】
このようにして、全ての機器Ａ〜Ｄが、自己を除く他の機器との間の信号レベルと通信応答時間を計測してそれらのデータをメモリ６に登録するのが完了すると、次に、親機Ａは、図４に示すように、順次ＩＤを指定して子機Ｂ〜Ｄに対して計測データ収集要求信号を出力する。この計測データ収集要求信号に応じて、ＩＤの一致した各子機Ｂ〜Ｄは、自己のメモリ６に登録されている他の機器との間の信号レベルと通信応答時間の各計測データを読み出して親機Ａに送信する。
【００３１】
親機Ａは、各子機Ｂ〜Ｄから送信されてきた上記の各計測データが受信部５で受信されると、動作制御部２３がこれらの計測データを集計して一旦メモリ６に登録する。次に、図５に示すように、序列設定部２２は、メモリ６に集計して登録された計測データに基づいて機器Ａ〜Ｄの相互間の距離の序列を設定する。
【００３２】
すなわち、各機器Ａ〜Ｄは相互通信により信号レベルと通信応答時間を計測しているので、計測データは重複したものとなっている。例えば、親機Ａと子機Ｂとは２回にわたって互いに信号レベルと通信応答時間を計測しているので、序列設定部２２は、まず、計測のばらつきを無くすために、それぞれの平均値を求める。
【００３３】
次いで、序列設定部２２は、平均化後の信号レベルの小さいもの、あるいは通信応答時間の長いものほど大きな評価点数となるように、各機器Ａ〜Ｄに対して個別に評価点数を付ける。
【００３４】
例えば、信号レベルに対して第１、第２の閾値Ｉｓｈ１、Ｉｓｈ２（ただし、Ｉｓｈ１＜Ｉｓｈ２）を設け、信号レベルが第１の閾値Ｉｓｈ１よりも小さい場合には評価点数“３”、信号レベルが第１の閾値Ｉｓｈ１と第２の閾値Ｉｓｈ２との間にあるときには評価点数“２”、信号レベルが第２の閾値Ｉｓｈ２よりも大きいときには評価点数“１”とする。したがって、評価点数が大きいもの程、各機器Ａ〜Ｄの相互間距離が長いことになる。
【００３５】
これにより、各機器Ａ〜Ｄの配置状態が図３のような場合、図６に示すように、例えば、親機Ａに対して、子機Ｂは評価点数“１”、子機Ｃは評価点数“２”、子機Ｄは評価点数“３”がそれぞれ割り当てられる。また、子機Ｂに対して、親機Ａは評価点数“１”、子機Ｃは評価点数“１”、子機Ｄは評価点数“２”がそれぞれ割り当てられる。
【００３６】
このようにして、序列設定部２２は、各機器Ａ〜Ｄについて評価点数を段階的に振り分けると、次に、各機器Ａ〜Ｄごとに、他の機器に関する評価点数を加算してその和を求める。
【００３７】
例えば、図６に示した例の場合、親機Ａについて、他の子機Ｂ，Ｃ，Ｄに関する評価点数の和は１＋２＋３＝“６”となる。子機Ｂについて、親機Ａと子機Ｃ，Ｄに関する評価点数の和は１＋１＋２＝“４”となる。同様に、子機Ｃについて、親機Ａと子機Ｂ，Ｄに関する評価点数の和は“４”、子機Ｄについて、親機Ａと子機Ｂ，Ｃに関する評価点数の和は“６”となる。
【００３８】
続いて、序列設定部２２は、評価点数の和が最大となる機器の一つを序列の最上位（１番目）として設定する。その際、複数の候補がある場合には、その内の一つを選択する必要があるが、その選択方法としては、一定のルール（例えば、親機に近いものを最優先にするなど）を設けてもよく、あるいはランダムに選択してもよい。これは２番目以降の機器について複数の候補がある場合についても同様である。本例の場合、評価点数の和が最大“６”となるのは親機Ａと子機Ｄの２つがあるので、ここでは親機Ａを優先させてこれを序列の最上位（１番目）として選択する。
【００３９】
引き続いて、序列設定部２２は、最上位の機器（ここでは親機Ａ）に対して評価点数の最も小さい他の機器を次の２番目の序列として設定する。そして、２番目の序列として設定した機器に対して評価点数の最も小さい他の機器をさらに３番目の序列として設定する。この操作を順次繰り返すことにより、各機器の序列を上位から下位に向けて順次決定する。
【００４０】
例えば、図６に示す例において、序列の１番目の親機Ａに対して、最も小さい評価点数“１”をもつのは子機Ｂなので、この子機Ｂを選択してこれを序列の２番目とする。次に、この子機Ｂに対して、同様に、最も小さい評価点数をもつ他の機器を選択する。この場合、最も小さい評価点数“１”をもつものは親機Ａと子機Ｃの２つが存在するが、親機Ａは既に序列が決まっているので、子機Ｃを序列の３番目とする。次に、この子機Ｃに対して、同様に、最も小さい評価点数をもつ他の機器を選択する。この場合、最も小さい評価点数“１”をもつものは子機Ｂと子機Ｄであるが、子機Ｂは既に序列が決まっているので、最後に残っている子機Ｄを序列の４番目とする。したがって、最終的には図６に示すように、Ａ→Ｂ→Ｃ→Ｄの順に序列が設定されることになる。
なお、上記の説明は、信号レベルの大小を基準として各機器に評価点数を付けるようにしたが、通信応答時間の長短に応じて評価点数を付けるようにしてもよい。また、両者を複合的に考慮して一定の関数式によって評価点数を付けるようにすることも可能である。
このようにして、序列設定部２２により、全ての各機器の距離の序列が決定されると、親機Ａは、その序列情報を自己のメモリ６に登録するとともに、図７に示すように、順次ＩＤを指定して各子機Ｂ〜Ｄに対して序列情報を送信する。この序列情報を受信した各子機Ｂ〜Ｄは、その序列情報を各機器のＩＤに対応付けて自己のメモリ６に登録する。これにより、全ての機器Ａ〜Ｄは、序列情報を把握することができる。
【００４１】
この状態で、各々の機器Ａ〜Ｄを連系動作させて送り点灯する場合には、例えば、図外のリモコン等から親機Ａに対して送り点灯開始コマンドを送信する。これに応じて、例えば図８（ａ）に示すように、親機Ａはメモリ６に登録されている序列を参照して、まず序列が１番である自己の負荷（光源）１を制御して点灯を行い、次に、所定の待ち時間が経過した後、次の序列が２番の子機Ｂに対してＩＤを指定した点灯トリガ信号を送信部４から出力する。子機Ｂは、この点灯トリガ信号の受信に応じて自己の負荷（光源）１を制御して点灯を行い、次に、所定の待ち時間が経過した後、メモリ６に登録されている序列を参照して次の序列が３番の子機Ｃに対してＩＤを指定した点灯トリガ信号を送信部４から出力する。以降は、子機Ｃ，Ｄについても同様な手順で点灯を行う。これにより、序列設定部２２で設定された序列に従って各機器Ａ〜Ｄが送り点灯されることになる。
【００４２】
なお、図８（ａ）に示したように、ある機器から次の序列の機器に順次点灯トリガ信号を送信して各機器Ａ〜Ｄを順次送り点灯する代わりに、例えば、図８（ｂ）に示すように、親機Ａが主体となって、序列に従ってＩＤを指定した点灯トリガ信号を序列に応じた待ち時間が経過するたびに各子機Ｂ，Ｃ，Ｄに対して順次送信することにより、各機器Ａ〜Ｄの照明装置を送り点灯することも可能である。
【００４３】
上記の実施の形態では、序列設定部２２において、最上位（１番目）の機器を設定した後、２番目の以降の序列を設定する場合において、複数の候補が存在する場合には、その内の一つを選択するための方法として、ランダムに選択する方法や、親機に近いものを最優先にするというルールを決める方法について述べたが、その他に、例えば既に序列が決まっている機器を除き、候補となる機器について、これに対応する他の機器に関する評価点数を加算し、その和が大きい方を次の序列として設定する、といったルールを設けて一つの機器を選択するようにしてもよい。
【００４４】
例えば、図９（ａ）に示すように親機Ａと各子機Ｂ〜Ｅとが分散して配置されている状態において、序列設定部２２により、各機器Ａ〜Ｅに対して個別に評価点数を付けた場合、図１０に示したような結果が得られているとする。このとき、各機器Ａ〜Ｅについて、他の機器に関する評価点数の和を求めると、親機Ａについての評価点数の和は“７”、子機Ｂについての評価点数の和は“４”、子機Ｃについての評価点数の和は“８”、子機Ｄについての評価点数の和は“７”、子機Ｄについて評価点数の和は“８”となる。
【００４５】
評価点数の和が最大となる機器を１番目の序列の機器として検索する際、評価点数の和が最大“８”となるのは子機Ｃと子機Ｅの２つがあるので、序列設定部２２は、図６で説明した場合と同様に、ここではランダムに一方の子機Ｃを序列の最上位（１番目）として設定する。
【００４６】
こうして、序列が１番目の子機Ｃが設定されると、次に、この子機Ｃに対して評価点数の最も小さい機器を次の序列として設定するが、この場合、子機Ｃに対して最も小さい評価点数“１”をもつのは親機Ａと子機Ｂの２つの候補がある。この場合には、既に序列が決まっている機器（この例では子機Ｃ）を除き、各候補となる機器Ａ，Ｂについて、他の機器に関する評価点数を加算し、その和が大きい方を次の序列として設定する。すなわち、親機Ａについては、機器Ａ，Ｃを除く他の機器Ｂ，Ｄ，Ｅに関する評価点数の和は、１＋２＋３＝“６”、子機Ｂについては、機器Ｂ、Ｃを除く他の機器Ａ，Ｄ，Ｅに関する評価点数の和は、１＋１＋１＝“３”となる。したがって、評価点数の和の大きい親機Ａを序列の２番目として設定する。
【００４７】
なお、こうして設定された２番目の序列の親機Ａに対して、最も小さい評価点数をもつ機器を次の３番目の序列として設定するが、この場合、最も小さい評価点数“１”をもつものは子機Ｂと子機Ｃの２つが存在する。しかし、子機Ｃは既に序列が１番目として決まっているので、子機Ｂを序列の３番目とする。これは、図６において説明した手順と同様である。よって、最終的には、図９（ｂ）に示すように、Ｃ→Ａ→Ｂ→Ｄ→Ｅの順に序列が設定されて各機器が送り点灯されることになる。
【００４８】
このように、２番目の以降の序列を決定する場合において、複数の候補となる機器が存在する場合には、既に序列が設定されている機器を除き、各候補の機器について他の機器に関する評価点数を加算し、その和が大きい方を次の序列として設定するようにすれば、複数の候補となる機器が存在する場合でも無理なく一つの機器を選択することができる。このため、各照明用の機器が一列でなく分散して配置されている場合でも的確に各機器の序列を設定することができるので都合がよい。
【図面の簡単な説明】
【００４９】
【図１】本発明の実施の形態における照明制御システムを構成する各照明用の機器を示すもので、同図（ａ）は親機となる機器の構成を示すブロック図、同図（ｂ）は子機となる機器の構成を示すブロック図である。
【図２】各機器のメモリに登録されるデータ内容の説明図である。
【図３】同システムの通信状態確認動作時の説明図である。
【図４】同システムの計測データ収集動作時の説明図である。
【図５】同システムの序列設定動作時の説明図である。
【図６】図３に示す各機器の配置状態における序列設定部による序列設定動作の具体例を示す説明図である。
【図７】同システムの序列情報送信動作時の説明図である。
【図８】同システムの照明制御動作時の説明図である。
【図９】同システムの機器の配置状態、およびこれに伴う送り点灯動作の説明図である。
【図１０】図９に示す各機器の配置状態における序列設定部による序列設定動作の具体例を示す説明図である。
【符号の説明】
【００５０】
１    負荷（光源）
２    コントローラ
２１  計測部（計測手段）
２２  序列設定部（序列設定部手段）
２３  動作制御部（収集手段）
４    送信部（通知手段）
５    受信部
６    メモリ（データ保持手段）
【図１】
0005262263.tif 000002
【図２】
0005262263.tif 000003
【図３】
0005262263.tif 000004
【図４】
0005262263.tif 000005
【図５】
0005262263.tif 000006
【図６】
0005262263.tif 000007
【図７】
0005262263.tif 000008
【図８】
0005262263.tif 000009
【図９】
0005262263.tif 000010
【図１０】
0005262263.tif 000011